【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行装置であって、
移行対象の文書データに対して前記第１の文書管理システムで設定されているアクセス権が、上位フォルダのアクセス権を継承する設定であるか、当該文書独自のアクセス権が設定されているかを判断する判断手段と、
前記移行対象の文書データに対して当該文書独自のアクセス権が前記第１の文書管理システムで設定されていると前記判断手段で判断した場合、当該文書独自のアクセス権と同じアクセス権を設定したサブフォルダを、前記第２の文書管理システムの移行先に作成するサブフォルダ作成手段と、
前記サブフォルダ作成手段で作成したサブフォルダ内に、当該移行対象の文書データを格納する文書格納手段と、
を有することを特徴とするデータ移行装置。
【請求項２】
前記移行対象の文書データに対して上位フォルダのアクセス権を継承するように前記第１の管理システムで設定されていると前記判断手段で判断した場合、前記文書格納手段は、前記第１の文書管理システムから前記第２の文書管理システムへ移行される前記移行先の上位フォルダ内に、当該移行対象の文書データを格納することを特徴とする請求項１に記載のデータ移行装置。
【請求項３】
移行対象のデータが、独自のアクセス権が設定されているフォルダである場合は、移行先の前記第２の文書管理システムにおいて、当該独自のアクセス権と同じアクセス権を設定し、且つ当該移行対象のフォルダと同じ名称を付与したフォルダを作成するフォルダ作成手段を更に有することを特徴とする請求項１または２に記載のデータ移行装置。
【請求項４】
文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行装置であって、
移行対象の文書データに対して前記第１の文書管理システムで設定されているアクセス権が、上位フォルダのアクセス権を継承する設定であるか、当該文書独自のアクセス権が設定されているかを判断する判断手段と、
前記移行対象の文書データに対して当該文書独自のアクセス権が前記第１の文書管理システムで設定されていると前記判断手段で判断した場合、当該文書独自のアクセス権と同じアクセス権を設定したサブフォルダが、前記第２の文書管理システムの移行先に存在するか否か判断するサブフォルダ判断手段と、
前記文書独自のアクセス権と同じアクセス権を設定したサブフォルダが前記第２の文書管理システムの移行先に存在しないと前記サブフォルダ判断手段で判断した場合に、当該文書独自のアクセス権と同じアクセス権を設定したサブフォルダを前記第２の文書管理システムの移行先に作成するサブフォルダ作成手段と、
前記文書独自のアクセス権と同じアクセス権を設定したサブフォルダが前記第２の文書管理システムの移行先に存在しないと前記サブフォルダ判断手段で判断した場合は、前記サブフォルダ作成手段で作成したサブフォルダ内に当該移行対象の文書データを格納し、前記文書独自のアクセス権と同じアクセス権を設定したサブフォルダが前記第２の文書管理システムの移行先に存在すると前記サブフォルダ判断手段で判断した場合は、当該存在するサブフォルダ内に当該移行対象の文書データを格納する文書格納手段と、
を有することを特徴とするデータ移行装置。
【請求項５】
前記サブフォルダ内に格納した前記移行対象の文書データのショートカットを、前記第２の文書管理システムの移行先に作成するショートカット作成手段を更に備えることを特徴とする請求項１乃至４のいずれか１項に記載のデータ移行装置。
【請求項６】
コンピュータを、請求項１乃至５のいずれか１項に記載のデータ移行装置の各手段として機能させるためのコンピュータプログラム。
【請求項７】
請求項６に記載のコンピュータプログラムを格納した、コンピュータ読み取り可能な記憶媒体。
【請求項８】
文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行方法であって、
判断手段が、移行対象の文書データに対して前記第１の文書管理システムで設定されているアクセス権が、上位フォルダのアクセス権を継承する設定であるか、当該文書独自のアクセス権が設定されているかを判断する判断ステップと、
サブフォルダ作成手段が、前記移行対象の文書データに対して当該文書独自のアクセス権が前記第１の文書管理システムで設定されていると前記判断ステップで判断した場合、当該文書独自のアクセス権と同じアクセス権を設定したサブフォルダを、前記第２の文書管理システムの移行先に作成するサブフォルダ作成ステップと、
文書格納手段が、前記サブフォルダ作成ステップで作成したサブフォルダ内に、当該移行対象の文書データを格納する文書格納ステップと、
を有することを特徴とするデータ移行方法。
【請求項９】
文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行方法であって、
判断手段が、移行対象の文書データに対して前記第１の文書管理システムで設定されているアクセス権が、上位フォルダのアクセス権を継承する設定であるか、当該文書独自のアクセス権が設定されているかを判断する判断ステップと、
サブフォルダ判断手段が、前記移行対象の文書データに対して当該文書独自のアクセス権が前記第１の文書管理システムで設定されていると前記判断ステップで判断した場合、当該文書独自のアクセス権と同じアクセス権を設定したサブフォルダが、前記第２の文書管理システムの移行先に存在するか否か判断するサブフォルダ判断ステップと、
サブフォルダ作成手段が、前記文書独自のアクセス権と同じアクセス権を設定したサブフォルダが前記第２の文書管理システムの移行先に存在しないと前記サブフォルダ判断ステップで判断した場合に、当該文書独自のアクセス権と同じアクセス権を設定したサブフォルダを前記第２の文書管理システムの移行先に作成するサブフォルダ作成ステップと、
文書格納手段が、前記文書独自のアクセス権と同じアクセス権を設定したサブフォルダが前記第２の文書管理システムの移行先に存在しないと前記サブフォルダ判断ステップで判断した場合は、前記サブフォルダ作成ステップで作成したサブフォルダ内に当該移行対象の文書データを格納し、前記文書独自のアクセス権と同じアクセス権を設定したサブフォルダが前記第２の文書管理システムの移行先に存在すると前記サブフォルダ判断ステップで判断した場合は、当該存在するサブフォルダ内に当該移行対象の文書データを格納する文書格納ステップと、
を有することを特徴とするデータ移行方法。
【手続補正２】
【補正対象書類名】明細書
【補正対象項目名】０００５
【補正方法】変更
【補正の内容】
【０００５】
上記課題を解決するために、本発明のデータ移行装置は、文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行装置であって、移行対象の文書データに対して前記第１の文書管理システムで設定されているアクセス権が、上位フォルダのアクセス権を継承する設定であるか、当該文書独自のアクセス権が設定されているかを判断する判断手段と、前記移行対象の文書データに対して当該文書独自のアクセス権が前記第１の文書管理システムで設定されていると前記判断手段で判断した場合、当該文書独自のアクセス権と同じアクセス権を設定したサブフォルダを、前記第２の文書管理システムの移行先に作成するサブフォルダ作成手段と、前記サブフォルダ作成手段で作成したサブフォルダ内に、当該移行対象の文書データを格納する文書格納手段と、を有することを特徴とする。
【手続補正３】
【補正対象書類名】明細書
【補正対象項目名】０００６
【補正方法】変更
【補正の内容】
【０００６】
上記課題を解決するために、本発明のデータ移行装置は、文書単位およびフォルダ単位でアクセス権を設定可能な第１の文書管理システムから、文書単位でアクセス権を設定できず且つフォルダ単位でアクセス権を設定可能な第２の文書管理システムへ、データを移行するデータ移行装置であって、移行対象の文書データに対して前記第１の文書管理システムで設定されているアクセス権が、上位フォルダのアクセス権を継承する設定であるか、当該文書独自のアクセス権が設定されているかを判断する判断手段と、前記移行対象の文書データに対して当該文書独自のアクセス権が前記第１の文書管理システムで設定されていると前記判断手段で判断した場合、当該文書独自のアクセス権と同じアクセス権を設定したサブフォルダが、前記第２の文書管理システムの移行先に存在するか否か判断するサブフォルダ判断手段と、前記文書独自のアクセス権と同じアクセス権を設定したサブフォルダが前記第２の文書管理システムの移行先に存在しないと前記サブフォルダ判断手段で判断した場合に、当該文書独自のアクセス権と同じアクセス権を設定したサブフォルダを前記第２の文書管理システムの移行先に作成するサブフォルダ作成手段と、前記文書独自のアクセス権と同じアクセス権を設定したサブフォルダが前記第２の文書管理システムの移行先に存在しないと前記サブフォルダ判断手段で判断した場合は、前記サブフォルダ作成手段で作成したサブフォルダ内に当該移行対象の文書データを格納し、前記文書独自のアクセス権と同じアクセス権を設定したサブフォルダが前記第２の文書管理システムの移行先に存在すると前記サブフォルダ判断手段で判断した場合は、当該存在するサブフォルダ内に当該移行対象の文書データを格納する文書格納手段と、を有することを特徴とする。